(57)【要約】【課題】  ＬＥＤ照明を用いたボードを運搬可能とする。【解決手段】ＬＥＤボードは、ＬＥＤからの光が照射されかつ筆記具を用いて表面に文字等を描ける表示面と、背面側に配置される、ＬＥＤを駆動する電源となる電池と、利用者の操作によってＬＥＤの制御が行える制御ユニットと、電池と制御ユニットを電気的に接続して内部に導かれる配線コードを備える。ＬＥＤボードの背面側にあってＬＥＤボードと一体的に配置されるパネルは、電池と制御ユニットに対応する部分に開放部を有する。【選択図】  図１
2015102809.tif 000002
【特許請求の範囲】
【請求項１】
内部に光源となるＬＥＤを実装し、該ＬＥＤからの光が照射される表示面を有するＬＥＤボードを有する照明ボード装置であって、
該ＬＥＤボードは、
該ＬＥＤからの光が照射され、かつ筆記具を用いて表面に文字等を描ける表示面と、
背面側に配置される、該ＬＥＤを駆動する電源となる電池と、利用者の操作によって該ＬＥＤの制御が行える制御ユニットと、該電池と該制御ユニットを電気的に接続して内部に導かれる配線コードを備え、
該ＬＥＤボードの背面側に該ＬＥＤボードと一体的に配置されるパネルであって、該パネルは該電池と該制御ユニットに対応する部分に開放部を有する、ことを特徴とする照明ボード装置。
【請求項２】
前記パネルは、該電池と該制御ユニットを保護するに足りる厚さを有する、ポリエチレンフォーム製の平板状部材であり、かつ該電池に対応する部分に切欠き部を有する、請求項１に記載の照明ボード装置。
【請求項３】
前記パネルと前記ＬＥＤボードは面ファスナーによって固定される、請求項１又は２に記載の照明ボード装置。
【請求項４】
前記パネルには、筆記具を収納する箱が装着される穴が形成され、
かつ該箱の外底部と、該穴に対応する前記ＬＥＤボードの背面には、面ファスナーが設けられ、
該箱を、該パネルの該穴に装着したときに、該箱の設けた該面ファスナーと、該ＬＥＤボードに設けた該面ファスナーが係合することにより、該パネルと該ＬＥＤボードとが一体的に構成される、請求項１又は２に記載の照明ボード装置。
【請求項５】
前記照明ボード装置の両側部にはベルトが係合される、請求項１乃至４のいずれかの項に記載の照明ボード装置。
【請求項６】
前記照明ボード装置は長方形の立体形状を成しており、該照明ボード装置の底部を支持する第１のベルトと、該照明ボード装置の両側部を支持する第２のベルトと、該照明ボード装置の背面側を支持する第３のベルトとが接続して一体的に構成され、
かつ該照明ボード装置の運搬用のベルトが第２ベルトに結合して構成される、請求項１乃至４のいずれかの項に記載の照明ボード装置。
【請求項７】
前記照明ボード装置は長方形の立体形状を成しており、該照明ボード装置の底部を支持する底部体と、該照明ボード装置の両側部を支持する一対の側体と、１の該側部体に回転可能に支持される上部体から構成され、該側部体には運搬用のベルトが係合される枠構造体であり、
該上部体を回転開放して、上側から該照明ボード装置を該枠構造体に挿入して収納する、請求項１乃至４のいずれかの項に記載の照明ボード装置。
【請求項８】
前記照明ボード装置を収納するアタッシュケース状のバッグであって、該バッグは該照明ボード装置の前記表示面に対応する部分に開放部又は透明板を有する、請求項１乃至４のいずれかの項に記載の照明ボード装置。
【発明の詳細な説明】
【技術分野】
【０００１】
本発明は、照明ボード装置に係り、特にＬＥＤを用いた内照式ボードを宣伝用看板として用いる照明ボード装置に関する。
【背景技術】
【０００２】
節電と看板表示の鮮明さの利点から、光源にＬＥＤを用いた内照式看板が実用化されている。ＬＥＤ内照式看板は、光の３原色であるＲＧＢ（赤緑青）から成る多数のＬＥＤを内部に配列し、内部に備えたマイコンの制御によってＬＥＤを点滅制御することで、多様な表示様式の制御を可能とするものである。利用者は、水性ペンを用いてＬＥＤ看板の表面に文字やイラスト（宣伝用文字等）を描くことができる。ＬＥＤ看板の表面にＲＧＢ色別に描かれた文字等は、対応する色のＬＥＤの点滅制御によって蛍光発光して鮮明な色の表現となる。これにより顧客の注目を引くことができ、特に夜間の宣伝効果が期待できる。この種の技術として、例えば特許文献１や特許文献２に記載の照明看板装置が知られている。
【先行技術文献】
【特許文献】
【０００３】
【特許文献１】特開２０１１−２０９６２３号公報
【特許文献２】特開２０１３−５０６２０号公報
【発明の概要】
【発明が解決しようとする課題】
【０００４】
従来の看板は、特許文献１のような看板を店の入り口に吊す形式のものや、特許文献２のようにスタンドポールを用いて比較的大型のパネルを店の敷地に立設するものが主である。一方、野外のイベント会場や夜間の街頭での宣伝のために、ＬＥＤ看板を持ち運びながら宣伝効果を狙いたいという要求がある。
【０００５】
本発明は、ＬＥＤ照明を用いたボードを運搬可能とする照明ボード装置を提供することにある。
【課題を解決するための手段】
【０００６】
本発明に係る照明ボード装置は、好ましくは、内部に光源となるＬＥＤを実装し、該ＬＥＤからの光が照射される表示面を有するＬＥＤボードを有する照明ボード装置であって、
該ＬＥＤボードは、
該ＬＥＤからの光が照射され、かつ筆記具を用いて表面に文字等を描ける表示面と、
背面側に配置される、該ＬＥＤを駆動する電源となる電池と、利用者の操作によって該ＬＥＤの制御が行える制御ユニットと、該電池と該制御ユニットを電気的に接続して内部に導かれる配線コードを備え、
該ＬＥＤボードの背面側に該ＬＥＤボードと一体的に配置されるパネルであって、該パネルは該電池と該制御ユニットに対応する部分に開放部を有する、ことを特徴とする照明ボード装置として構成される。
【０００７】
好ましい例では、前記パネルは、該電池と該制御ユニットを保護するに足りる厚さを有する、ポリエチレンフォーム製の平板状部材であり、かつ該電池に対応する部分に切欠き部を有する。  
また好ましい例では、前記パネルと前記ＬＥＤボードは面ファスナーによって固定される。
【０００８】
さらに好ましい例では、前記パネルには、筆記具を収納する箱が装着される穴が形成され、かつ該箱の外底部と、該穴に対応する前記ＬＥＤボードの背面には、面ファスナーが設けられ、
該箱を、該パネルの該穴に装着したときに、該箱の設けた該面ファスナーと、該ＬＥＤボードに設けた該面ファスナーが係合することにより、該パネルと該ＬＥＤボードとが一体的に構成される。  
さらに好ましい例では、前記照明ボード装置の両側部にはベルトが係合される。
【発明の効果】
【０００９】
本発明の好ましい例によれば、ＬＥＤボードを容易に運搬することができ、運搬しながら宣伝用看板として用いることができる。また、ボード装置にマークペン等の筆記具を装着して運搬し、筆記具で宣伝文字等を適宜書き又は消去することができる。
【図面の簡単な説明】
【００１０】
【図１】一実施例（実施例１）におけるＬＥＤボード装置の構成を示す斜視図。
【図２】ＬＥＤボード装置の分解斜視図。
【図３】パネルに装着される箱の例を示す図。
【図４】実施例３におけるＬＥＤボード装置の構成を示す斜視図。
【図５】実施例４におけるＬＥＤボード装置の構成を示す斜視図。
【図６】実施例５におけるＬＥＤボード装置の構成を示す斜視図。
【図７】ＬＥＤボード装置の宣伝用看板の使用例を示す図。
【発明を実施するための形態】
【００１１】
以下、図面を参照して、本発明の好ましい実施例について説明する。
【実施例１】
【００１２】
図１はＬＥＤボード装置の構成を示す。図２はその分解斜視図を示す。  
本実施例において、ＬＥＤボード装置（以下単にボード装置という）は、主に、内部に光源となる多数のＬＥＤを実装し、ＬＥＤからの光が照射される表示面１０を有するＬＥＤボード１（以下単にボードという）と、ボード１の背面に一体的に配置されるパネル２から構成される。図１及び図２はボード１を背面から見た図である。
【００１３】
ボード１は、例えば厚さ４０〜５０ｍｍ程のＡ３サイズの大きさで、長方形の表示面１０と長方形のアクリル製の枠１１を有する。利用者は、カラー水性ペンを用いて表示面１０に文字や絵などの描くことができる。図１及び図２はボード１を背面から見ているので表示面１０は見えないが、ボード装置を宣伝用看板として用いる場合は、図１０のように、表示面１０に宣伝用の文字等を描いて運搬することができる。
【００１４】
ボード１の内部には多数のＲＧＢ（３原色）のＬＥＤが配列されており、同じく内部に実装されたマイコンの制御によって、ＲＧＢそれぞれのＬＥＤを点滅制御することができる。ＲＧＢのＬＥＤが点滅するとそれに対応する色の水性ペンが蛍光発色する。点滅や点灯のタイミングやＬＥＤの色を制御することで、宣伝情報の多様なパターンを表現することができ、特に夜間や暗所で客の注目をひくことができる。
【００１５】
ボード１のＬＥＤを駆動するために、ボード１の背面にはリチュウムイオン電池（以下単に電池という）１２およびＬＥＤを駆動するための部品が実装される（電池まで含めて総じて実装部品と言ってよい）。電池１２が実装される回路部には、配線コード１４のプラグ１４１，１４２が接続し、その電気コード１４の一端は点滅制御ユニット１３に接続される。配線コード１４の他端はボード１の内部に案内され、マイコン（図示せず）に接続される。利用者による点滅制御ユニット１３の操作によって、点滅状態の切り換えやタイミングの切り換え等が行える。ＬＥＤの駆動のオンオフは、プラグ１４１と１４２の接続の可否による。本発明者の試作によれば、電池１２を用いたボードを点滅状態とした場合約２５時間の連続使用が可能であった。
【００１６】
ボード１の背面の４ヶ所には面ファスナー１５が設けられる。この面ファスナー１５は、パネル２の対向する位置（４ヶ所）に設けられた面ファスナー（図１，２では背後になるので見えない）と係合することで、ボード１の背後にパネル２が位置付けして固定される。また、ボード１の上部両側には留め金具９６が固定され、留め金具９６には、ボード装置を運搬するためのベルト９５が係合される（図２はベルト９５の図示を省略している）。
【００１７】
ボード１の背面には、ボード１の背面側から覆ってボードの実装部品を保護しボード装置を安定して運搬するために、パネル２が配置される。このパネル２はポリエチレンフォーム製の平板状部材である。外形形状はボード１と略同じ形状であり、厚さは電池１２や点滅制御ユニット１３等の実装部品を保護するに足りる程度である。パネル２の左側２２の上部は、右側２１の上部に比べて距離ｈほど低くなっていて、この低い部分に点滅制御ユニット１３が配置される。また、左右２１と２２の間の中央部には切欠き部２３が形成され、この切欠き部２３に電池が配置されるように、工夫されている。
【００１８】
さらに本実施例では、パネル２に２つの四角形状の穴２４，２５が形成され、この穴２４，２５には箱３及び４が係合される。パネル２はポリエチレンフォーム製部材で弾力性があるため、プラスチック製の箱３，４を押し込むだけで箱を穴２４，２５に装着することができる。
【００１９】
箱３及び４はボード１の表示面１０に宣伝用の文字を書き及び消去するために必要な備品（筆記具等）を収納する。図３に示すように、箱３の本体３１には各種色の水性ペン３９が収納され、蓋３２を閉めた状態で穴２４に装着される。箱４の本体４１には、表示面１０に水性ペン３９で描いた文字等を消すための拭き布４８と水ポット４９が収納され、同じく蓋４２を閉めた状態で穴２５に装着される。
【００２０】
本実施例によれば、ボード装置の運搬時に、点滅制御ユニットや電池の重力は常に垂直方向（下方）に働いた状態にあるので、パネル２に支持されるこれらの部品の支持状態はより安定的になる。また、利用者はパネル２を自らの体に接触した状態でボード装置を運ぶ際に、パネル２が運搬時の振動や衝撃がボード１に伝わる影響を低減させることができる。
【００２１】
<代案・変形例>
本実施例において、電池１２はボード１の裏面に接着で固定してよいが、好ましくは面ファスナーを用いてボード１に着脱自在に固定するのがよい。この場合、電池１２側とその固定すべき位置に面ファスナーが予め固定される。
【００２２】
図示の例では、電池１２や点滅制御ユニット１３、配線コード１４が露出するように、パネル２の切欠け部２３及び低い部分が形成されている。しかし、代替例では、パネル２の、電池１２と点滅制御ユニット１３に対応する部分を削除し、他の部分はパネル２の部材を残して形成することができる。この場合、配線コード１４に対応するパネルの部分には溝を形成して、その溝内に配線コード１４を収納して案内できる。これによれば、ボード装置の運搬時に利用者が配線コードに絡むことが無く、外部から配線が保護される。
【００２３】
本実施例では、パネル２の厚さは電池１２や点滅制御ユニット１３等の実装部品を保護するに足りる程度とした。ここで、点滅制御ユニット１３は点滅状態の切換えを行うスイッチを備えているので、ボード装置の運搬中に利用者の手や衣服がこのスイッチに接触して点滅状態が勝手に切り替わるのは好ましくない。そこで、パネル２の厚さを点滅制御ユニット１３の厚みよりも大きくすることにより、上記のような運搬中の不用意な接触を防止することができる。
【実施例２】
【００２４】
実施例２は、実施例１におけるボード１とパネル２の固定手段の代替例である。  
実施例１では、ボード１の背面に設けた面ファスナー１５と、パネル２の対向する位置に設けた面ファスナーとを係合させることで、両者を固定するとした。実施例２は、実施例１によらずに（パネル２とボード背面に設けた面ファスナー１５によらずに）、箱３と４の底に面ファスナーを設け、一方、ボード１の背面の穴２４と２５に対応する位置に面ファスナーを設ける。而して、箱３、４をパネル２の穴２４，２５に押し込んで装着すると、その底に設けた面ファスナーが、穴２４，２５に対向するボード１の背面の部分に設けた面ファスナーと係合することで、パネル２を介してボード１と箱３、４が固定される。
【００２５】
パネル２がポリエチレンフォーム製部材である場合、実施例１のようにその裏面に面ファスナーを接着等により設けた場合、ボード装置の長期の使用の間、ボード１の保守等のためにボード１とパネル２を外しまた係合することがある。この動作が繰り返されると、ポリエチレンフォーム部材と面ファスナーとの接着面が摩耗して特にポリエチレンフォーム部材側が脆くなる可能性がある。しかし実施例２によれば、ポリエチレンフォーム製部材のパネル２に面ファスナーを設けないので、上記のような不具合を防止できる。
【００２６】
実施例２によれば、パネル２の中央部分に電池１２が位置付けし、箱３と箱４が左右に位置付けして、３点支持の状態を保って安定して配置されて、それぞれ面ファスナーでボード１の背面に固定される。
【００２７】
<代案・変形例>
実施例１及び２の変形例として幾つかあげられる。実施例１及び２では、筆記具等を収納する２つの箱３及び４を用意しているが、箱の大きさや個数は上記実施例に限定されない。例えば、とりわけ実施例２のように、左右に１つずつの箱を配置すれば、パネル２をボード１にバランス良く支持させることができる。実施例１では、箱３、４の固着によってパネル２をボード１に固着していないので、１つの箱（例えば大きめの箱３）に筆記具等を収納するようにしてもよい。
【００２８】
実施例１の他の変形例として、パネル２に箱３、４を実装しなくてもよい。この場合、パネル２に穴２４，２５が形成されず、利用者は筆記具を収納する箱をボード装置とは別に運ぶことになる。
【実施例３】
【００２９】
実施例３は、実施例１におけるボード装置１の運搬手段の代替例である。  
実施例１では、ボード１の留め金具９６にベルト９５を係合させてボード装置を運搬するとしている。これに対して、実施例３では、ベルト９５と留め金具９６に代えて、ボード装置の運搬具を提供する。なお、ボード１とパネル２の固定は実施例１又は２によるものとする。
【００３０】
図４に示すように、運搬具９は、ある程度剛性のある布編みのベルトの組立体（アッセンブリ）として構成される。この組立体は、長方形の立体形状を成しているボード装置の縦、横、高さ、厚さに対応したベルトの組み合わせで形成される。ボード装置の側部には、ボード装置の厚さをカバーする、２本の横ベルト９１が配置され、底部にはボード装置の厚さをカバーする、１本の底部ベルト９２が配置される。更にボード装置の背面には２本の背面ベルト９３と９４が配置される。これらのベルト９１，９２，９３、９４が接着等により固定して組立体９が構成される。ボード１の表示面１０には宣伝用の文字等が描かれるので、ベルト９３，９４が配置されない。また、横ベルト９１の両端上部には運搬用の肩掛けベルト９５が固定される。
【００３１】
複数の横ベルト９３，９４を配置する理由は、ボード１とパネル２の固定をより強くするためであり、ボード装置の運搬時にパネル２が利用者に接触してパネル２とボード１の位置ずれが生じるのを防止することができる。
【００３２】
<代案・変形例>
実施例３の代案として、上記のようなパネル２側に複数のベルト９３，９４を配置するのではなく、布製部材でパネル２側一面を覆うことも可能である。このような構成では、コスト高になるが、ボード１とパネル２を一層強固に保持してボード装置を運搬することができる。
【実施例４】
【００３３】
実施例４は、実施例３における運搬具９の代替例である。  
実施例３では、複数のベルトの組み合わせとして運搬具９を構成したが、実施例４では金属製の組立体によって運搬具９を構成する。
【００３４】
図５に示すように、組立体は、ボード装置の縦、横、高さ、厚さに対応したアルミ製の枠体で形成される。ボード装置の側部には、ボード装置の厚さをカバーする、２本の横体９１´が配置され、底部にはボード装置の厚さをカバーする、１本の底部体９２´が配置される。また、ボード装置の上面にはヒンジ９８１で回転可能に支持された上部体９９が配置される。この上部体９９を開放した状態で、ボード装置を上からこの組立体９内に収納する。上部体９９の他端に設けた止め部９８２が、横体９１´の上部に設けた止め受部９８３に係合することで、上部体９９と横体９１´が固定される。
【００３５】
なお、図示には省略しているが、運搬のために２本の横体の両上部に運搬用ベルト９５を固定する留め金具を設ける。実施例４によれば、運搬具９は金属製で構成しているので、運搬中に運搬具９が何かに突たったとしても、ボード１とパネル２の固定は崩れることなくボード装置が保護される。
【実施例５】
【００３６】
実施例５は、実施例３乃至４における運搬具の代替例である。実施例５では、ボード装置をアタッシュケースのようなバッグに収納して運搬する。
【００３７】
図６に示すように、バッグ６は、ヒンジ６３を中心に開閉可能な本体部６１と６２から構成され、更にベルト９５が設けられる。本体部６１側の面は合成樹脂製の透明板６１０で形成されている。
【００３８】
実施例１により構成されたボード装置（但しベルト９５は記載無し）の表示面１０を、本体部６１の透明板６１０に向けた状態で、ボード装置をバッグ６に収納して、本体部６１，６２を閉じてロックする。この状態で、利用者がバッグ６のベルト９５を肩にかけて運搬すると、バッグ６の透明板６１０を通して、ボード１の表示面１０に描いた宣伝文字等が客に見え、情報伝達や宣伝の効果が発揮される（図７参照）。とりわけ、実施例５のように、ボード装置をバッグに収納して運搬すれば、水滴や雨水がボード装置に侵入するのを防ぐことができる。また、転倒や落下、外部からの衝撃によるボード装置の破損を防止できる。また、実施例１のボード装置をむき出しの状態で運搬すると、装置の角部や部品等によって利用者自身がかすり傷等を受けたり、通行人にボード装置がぶつかって通行人を傷つける可能性があるが、実施例５のようにバッグに収納して運搬すればその心配はない。
【００３９】
なお、上記実施例５では本体部６１側の面に透明板６１０を備えているが、この透明板を除去して、開放部を形成するようにしてもよい。その場合、バッグの外側から開放部を通して、ボード装置の表示面１０に直接に文字等を描き又は消去することができる。
【００４０】
<代案・変形例>
上記幾つかの実施例では、広告のためにＬＥＤボード装置を運搬するとしたが、広告に限らず、広く情報伝達手段又は照明手段として使用することもできる。例えば、各種イベントや旅行等の人員の誘導用として、或いは道路や工事誘導灯として使用できる。また、災害非難時の避難先表示或いは人員誘導灯として使用できる。また、停電時の一時的な照明手段として使用することができる。
【００４１】
更に、上記実施例を変形し又は応用して実施し得る。例えば、パネル２の切欠き部２３の形状は、上記実施例に限らない。ボード１に使用される電池等の実装部品を保護するための位置及び形状に合わせた形成とすることができる。
【００４２】
また、上記実施例に用いた用語について言えば、上記実施例ではＬＥＤボードと言ったが、ＬＥＤ看板又は単にボードと言ってもよい。パネル２は単に板と呼んでもよいし、ボード１の実装部品を保護する観点から保護パネル又は保護部材と呼んでもよい。
【符号の説明】
【００４３】
１：ＬＥＤボード        １０：表示面    １１：枠    １２：リチュウムイオン電池
１３：点滅制御ユニット  １４：配線コード  １４１、１４２：プラグ
１５：面ファスナー
２：パネル  ２３：切欠け部  ２４，２５：穴  ９５：ベルト  ９６：留め金具
【図１】
2015102809.tif 000003
【図２】
2015102809.tif 000004
【図３】
2015102809.tif 000005
【図４】
2015102809.tif 000006
【図５】
2015102809.tif 000007
【図６】
2015102809.tif 000008
【図７】
2015102809.tif 000009
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
筆記具を用いて表面に文字等を描ける表示面を有するボードと、
該ボードの背面側に配置される、該ボードを照明するように駆動する電池と、利用者の操作によって照明の制御を行う制御ユニットと、該電池と該制御ユニットを電気的に接続する配線コードと、
該ボードの背面側に該ボードと一体的に配置されるパネルであって、該パネルは該電池と該制御ユニットに対応する部分に開放部を有する、ことを特徴とする照明ボード装置。
【請求項２】
前記パネルは、該電池と該制御ユニットを保護するに足りる厚さを有する、ポリエチレンフォーム製の平板状部材であり、かつ該電池に対応する部分に切欠き部を有する、請求項１に記載の照明ボード装置。
【請求項３】
前記パネルと前記ボードは面ファスナーによって固定される、請求項１又は２に記載の照明ボード装置。
【請求項４】
前記パネルには、筆記具を収納する箱が装着される穴が形成され、
かつ該箱の外底部と、該穴に対応する前記ボードの背面には、面ファスナーが設けられ、
該箱を、該パネルの該穴に装着したときに、該箱の設けた該面ファスナーと、該ボードに設けた該面ファスナーが係合することにより、該パネルと該ボードとが一体的に構成される、請求項１又は２に記載の照明ボード装置。
【請求項５】
前記照明ボード装置の両側部にはベルトが係合される、請求項１乃至４のいずれかの項に記載の照明ボード装置。
【請求項６】
前記照明ボード装置は長方形の立体形状を成しており、該照明ボード装置の底部を支持する第１のベルトと、該照明ボード装置の両側部を支持する第２のベルトと、該照明ボード装置の背面側を支持する第３のベルトとが接続して一体的に構成され、
かつ該照明ボード装置の運搬用のベルトが第２ベルトに結合して構成される、請求項１乃至４のいずれかの項に記載の照明ボード装置。
【請求項７】
前記照明ボード装置は長方形の立体形状を成しており、該照明ボード装置の底部を支持する底部体と、該照明ボード装置の両側部を支持する一対の側体と、１の該側部体に回転可能に支持される上部体から構成され、該側部体には運搬用のベルトが係合される枠構造体であり、
該上部体を回転開放して、上側から該照明ボード装置を該枠構造体に挿入して収納する、請求項１乃至４のいずれかの項に記載の照明ボード装置。
【請求項８】
前記照明ボード装置を収納するバッグであって、該バッグは該照明ボード装置の前記表示面に対応する部分に開放部又は透明板を有する、請求項１乃至４のいずれかの項に記載の照明ボード装置。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
筆記具を用いて表面に文字等を描くことができる表示面と、該表示面の背面側に配置された部品とを有するボードと、
該部品を保護して該ボードを運搬するための、該ボードの背面側に配置されて該ボードと一体的に構成されるパネルと、を有し、
該パネルは、該部品に対応する部分に切欠き部を有する
ことを特徴とする照明ボード装置。
【請求項２】
前記ボードは、その内部に設けられた多数のＬＥＤからの光が該表示面に照射されるものであり、
かつ該背面側に配置される前記部品として、該ＬＥＤを駆動する電源となる電池と、該ＬＥＤの点滅制御を行う制御ユニットを有し、
前記パネルは、該電池と該制御ユニットに対応する部分に前記切欠き部を有する
ことを特徴とする請求項１に記載の照明ボード装置。
【請求項３】
前記パネルには、筆記具を収納する箱が装着される穴が形成され、
かつ該箱の外底部と、該穴に対応する前記ボードの背面には、面ファスナーが設けられ、
該箱を、該パネルの該穴に装着したときに、該箱の設けた該面ファスナーと、該ボードに設けた該面ファスナーが係合することにより、該パネルと該ボードとが一体的に構成される、請求項１又は２に記載の照明ボード装置。
【請求項４】
筆記具を用いて表面に文字等を描くことができる表示面と、該表示面の背面側に配置された部品とを有するボードと、
該ボードの背面側に配置されて該ボードと一体的に構成されるパネルと、を有し、
該パネルは、該筆記具を収納する箱が装着される装着部を有する
ことを特徴とする照明ボード装置。
【請求項５】
前記ボードの背面と、前記パネルの該ボード面側には、それぞれ面ファスナーが設けられ、両者の該面ファスナーが係合することで、該ボードと該パネルが着脱自在に構成される、請求項１、２、４のいずれかの項に記載の照明ボード装置。
【請求項６】
前記装着部は、前記箱を装着するための、前記パネルに形成された穴であり、
かつ該箱の外側底部と、該穴に対応する前記ボードの背面には面ファスナーが設けられ、該箱を該パネルの該穴に装着したときに、該箱の設けた該面ファスナーと、該ボードに設けた該面ファスナーが係合することにより、該パネルと該ボードとが一体的に構成される、請求項４に記載の照明ボード装置。
【請求項７】
前記照明ボード装置は長方形の立体形状を成しており、該照明ボード装置の底部を支持する第１のベルトと、該照明ボード装置の両側部を支持する第２のベルトと、該照明ボード装置の背面側を支持する第３のベルトとが接続して一体的に構成され、
かつ該照明ボード装置の運搬用のベルトが第２ベルトに結合して構成される、請求項１乃至６のいずれかの項に記載の照明ボード装置。
【請求項８】
筆記具を用いて表面に文字等を描くことができる表示面と、該表示面の背面側に配置された部品とを有するボードと、
該部品を保護して該ボードを運搬するための、該ボードの背面側に配置されて該ボードと一体的に構成されるパネルと、を有し、該パネルは、該部品に対応する部分に切欠き部を有する照明ボード装置と、
前記照明ボード装置を収納し、該照明ボード装置の前記表示面に対応する部分に開放部又は透明板を有するバッグと、
を有することを特徴とする照明ボード装置とバッグの組合せ構造。
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
筆記具を用いて表面に文字等を描くことができる表示面と、該表示面の背面側に配置された部品とを有するボードと、
該部品を保護して該ボードを運搬するための、該ボードの背面側に配置されて該ボードと一体的に構成されるパネルと、を有し、
該パネルは、該部品に対応する部分に切欠き部を有し、
前記ボードは、その内部に設けられた多数のＬＥＤからの光が該表示面に照射されるものであり、
かつ該背面側に配置される前記部品として、該ＬＥＤを駆動する電源となる電池と、該ＬＥＤの点滅制御を行う制御ユニットを有し、
前記パネルは、該電池と該制御ユニットに対応する部分に前記切欠き部を有する
ことを特徴とする照明ボード装置。
【請求項２】
前記パネルには、筆記具を収納する箱が装着される穴が形成され、
かつ該箱の外底部と、該穴に対応する前記ボードの背面には、面ファスナーが設けられ、
該箱を、該パネルの該穴に装着したときに、該箱の設けた該面ファスナーと、該ボードに設けた該面ファスナーが係合することにより、該パネルと該ボードとが一体的に構成される、請求項１に記載の照明ボード装置。
【請求項３】
前記ボードの背面と、前記パネルの該ボード面側には、それぞれ面ファスナーが設けられ、両者の該面ファスナーが係合することで、該ボードと該パネルが着脱自在に構成される、請求項１に記載の照明ボード装置。
【請求項４】
前記照明ボード装置は長方形の立体形状を成しており、該照明ボード装置の底部を支持する第１のベルトと、該照明ボード装置の両側部を支持する第２のベルトと、該照明ボード装置の背面側を支持する第３のベルトとが接続して一体的に構成され、
かつ該照明ボード装置の運搬用のベルトが第２ベルトに結合して構成される、請求項１に記載の照明ボード装置。